(57)【特許請求の範囲】
【請求項１】
シリンダ錠の鍵孔に着脱可能に差し込む封鎖片とその封鎖片を鍵孔から抜き出す抜取り治具とから成るシリンダ錠の鍵孔の封鎖用具であって、先端を山形に成形しその斜面を誘導傾斜部とした板状体で、その先端の横断面形を鍵孔の横断面形とほぼ同形にすると共に、その長さを鍵孔の長さ以下に設定し、また、先端に鈎形の拘束部を形成した封鎖片と、前方側のステム部と後方側のつまみ部とを一体的に結合して成り、ステム部はそれが係着できる上記封鎖片の切欠きを補完するような幅及び長さを有すると共に、その横断面形を鍵孔の横断面形の対応する一部とほぼ同形に成形した抜取り治具とを有し、これら封鎖片及び抜取り治具を嵌め合せたとき相互に対向する側辺の一方に係合部を、他方にこの係合部と係合する切欠きを夫々形成し、封鎖片を鍵孔に挿入したとき、少なくとも１つのタンブラーが後方から拘束部に対向して封鎖片が鍵孔から抜け出ないように拘束して鍵孔を封鎖し、封鎖片を抜取るときには抜取り治具のステム部を鍵孔に挿入してその先端の誘導傾斜部により封鎖片の拘束部と対向するタンブラーを排除すると共に、一方の係合部と他方の切欠きとを係合させて封鎖片と抜取り治具とを連結し、抜取り治具と共に封鎖片を鍵孔から抜き出すようにしたことを特徴とするシリンダ錠の鍵孔封鎖用具。
【発明の詳細な説明】
【０００１】
【発明の属する技術分野】
この発明は、シリンダ錠の鍵孔に対する封鎖用具に関する。この発明に係るシリンダ錠の鍵孔封鎖用具は、例えば、賃貸住宅において賃借人が家賃を滞納した場合に、オーナー側（賃貸人又は管理者）がその住居の鍵（合鍵）を意識的かつ処罰的に使用不能にするためのもので、全く新規な用具として提案されたものである。
【０００２】
【発明が解決しようとする課題】
この発明のシリンダ錠の鍵孔封鎖用具は、例えば、賃借人が不当に家賃を滞納した場合に、オーナー側がその住居のドアの錠を施解錠できないようにして、換言すれば、鍵を錠に対し差し込めないようにして賃借人によるその住居の使用を不能にすることを目的として提案されたものである。
【０００３】
【課題を解決するための手段】
上記の目的を達成するため、この発明のシリンダ錠の錠孔封鎖用具は、シリンダ錠の鍵孔に着脱可能に差し込む封鎖片とその封鎖片を鍵孔から抜き出す抜取り治具とから成るシリンダ錠の鍵孔の封鎖用具であって、先端を山形に成形しその斜面を誘導傾斜部とした板状体で、その先端の横断面形を鍵孔の横断面形とほぼ同形にすると共に、その長さを鍵孔の長さ以下に設定し、また、先端に鈎形の拘束部を形成した封鎖片と、前方側のステム部と後方側のつまみ部とを一体的に結合して成り、ステム部はそれが係着できる上記封鎖片の切欠きを補完するような幅及び長さを有すると共に、その横断面形を鍵孔の横断面形の対応する一部とほぼ同形に成形した抜取り治具とを有し、これら封鎖片及び抜取り治具を嵌め合せたとき相互に対向する側辺の一方に係合部を、他方にこの係合部と係合する切欠きを夫々形成し、封鎖片を鍵孔に挿入したとき、少なくとも１つのタンブラーが後方から拘束部に対向して封鎖片が鍵孔から抜け出ないように拘束して鍵孔を封鎖し、封鎖片を抜取るときには抜取り治具のステム部を鍵孔に挿入してその先端の誘導傾斜部により封鎖片の拘束部と対向するタンブラーを排除すると共に、一方の係合部と他方の切欠きとを係合させて封鎖片と抜取り治具とを連結し、抜取り治具と共に封鎖片を鍵孔から抜き出すようにしたことを特徴とする。
【０００４】
【発明の実施の形態】
以下、図面に示す実施例に基いて、この発明について説明する。
この発明に係る錠孔の封鎖用具は、タンブラを備えたものであれば、ロータリーディスクリシンダ錠、スライディングディスクシリンダ錠又はピンシリンダ錠など、任意のシリンダ錠において採用することができる。この実施例において対象としている、図３及び図４に示すシリンダ錠１０はロータリーディスクシリンダ錠である。
【０００５】
図１〜図４において、符号１は本発明の一つの主要部材をなす板状の封鎖片、２は同様に本発明の他の主要部材をなす鍵形状の抜取り治具、１０は外筒部２０及び内筒部３０を有するシリンダ錠としてのロータリーディスクシリンダ錠、４０は外筒部２０と内筒部３０との間に介在させた複数のタンブラ、５０は内筒部３０に設けられた鍵孔をそれぞれ示している。
【０００６】
この発明の鍵孔の封鎖用具は、シリンダ錠１０の鍵孔５０に手指で掴んで着脱可能に差し込む封鎖片１とその封鎖片１を鍵孔５０から抜き出す抜取り治具２とから成る。それら封鎖片１及び抜取り治具２は強靱にして硬質の合成樹脂材料又は真ちゅうその他の金属材料で製作するを可とする。
【０００７】
図１に明示する封鎖片１は、その横断面形をシリンダ錠１０の鍵孔５０の横断面形とほぼ同形にすると共に、その長さを鍵孔５０の差込み方向の長さ以下に形成してある。
【０００８】
封鎖片１の長さをシリンダ錠１０の鍵孔５０の長さ以下にした理由は、その長さを鍵孔５０のそれよりも大きく形成すると、封鎖片１をシリンダ錠１０に差し込んだ際、その後端部が鍵孔５０から突出した状態となり、その部分を手掛りとして封鎖片１が強引に抜き出されたりするからである。
【０００９】
図１（Ｂ）において、符号１１は鍵孔５０のウォード（図示しない）に対応させて封鎖片１の平面部の一面又は両面に設けたウォードである。この封鎖片１のウォード１１はシリンダ錠１０に対する合鍵（図示しない）のウォードとほぼ同じような形に形成することは言うまでもない。
【００１０】
更に、前記の封鎖片１は先端に誘導傾斜部１２を備え、後方側の側辺の少くも一辺には切欠き１３を備える。この切欠き１３は、シリンダ錠１０に差し込まれる封鎖片１においてシリンダ錠１０のロータリーディスクその他のタンブラ４０が当接する一方又は両方の側辺に設けるものとする。
【００１１】
図示のシリンダ錠１０では封鎖片１の両側辺に対し、タンブラ４０が当接するように配されているが、封鎖片１において切欠き１３は一側辺にのみ設けてある。
【００１２】
そしてまた、前記の切欠き１３の縁部には、該封鎖片１のシリンダ錠１０に対する装着時にタンブラ４０の少なくも１つが後方から対向する拘束部１４及び後述の抜取り治具２におけるステム部２１の係合部２４が係合する係止部１５を有する。
【００１３】
前記の拘束部１４は切欠き１３の前方の縁部に設けられるものである。また、図示例の係止部１５は切欠き１３の縁部の前後方向のほぼ中央部分において抜取り治具２の細長い突片で成る係合部２４の側面形に対応させてその側面形を細長い溝として形成してある。
【００１４】
但し、係止部１５の位置及び形状は任意に設計することができる。例えば、形状について述べれば、図示例のものとは逆にして封鎖片１の係止部１５を突片とし、抜取り治具２の係合部２４を溝とすることもできる。
【００１５】
次に、図２に明示する抜取り治具２について詳述する。
抜取り治具２は前方側のステム部２１とそれと一体の後方側のつまみ部２２とから成る。
【００１６】
そして、ステム部２１はそれが着脱可能に係着（係合）できる上記の封鎖片１における切欠き１３を補完するような幅及び長さを有すると共に、その横断面形は鍵孔５０の横断面形の対応する一部とほぼ同形に形成してある。
【００１７】
更に、抜取り治具２のステム部２１は、先端に誘導傾斜部２３を備えると共に、上記封鎖片１の係止部１５と対応する個所に例えば細長い一体の突片として形成された係合部２４を備えている。この係合部２４のステム部２１上における位置及び形状は上述した封鎖片１の係合部１５と同様に任意に設計できる。
【００１８】
図２（Ｂ）において、符号２５は鍵孔５０のウォード（図示しない）に対応させて抜取り治具２におけるステム部２１の一面又は両面に設けたウォードである。
【００１９】
このステム部２１のウォード２５はシリンダ錠１０に対する合鍵（図示しない）のウォードの一部とほぼ同じような形に形成することは言うまでもない。
【００２０】
次に、この発明に係る用具の作用（使用）について図３及び図４を参照して説明する。
この発明の用具を用いてシリンダ錠１０の鍵孔５０を封じて、その錠１０への合鍵（図示しない）の差し込みを不能とするには、封鎖片１を手指で掴んで図３（Ａ）に矢印Ｐで示すようにシリンダ錠１０の鍵孔５０に押し込む。
【００２１】
図３（Ｂ）に示すように、封鎖片１の差込みにおける中間の過程では、先端の誘導傾斜部１２が、内筒部３０の中心側の位置を占めるようにばね等で付勢させてある複数のタンブラ４０をその付勢力に抗して押しのけつつ該封鎖片１の前進を許容させることになるので、封鎖片１は図３（Ｃ）に示すようにその全体が鍵孔５０内に差し込めることになる。
【００２２】
封鎖片１を鍵孔５０内に差し込んだ状態において、図３（Ｃ）におけるその上端縁はこれに弾接するタンブラ４０、４０から鍵孔５０内で傾く方向に弾力を受けるが、封鎖片１は図１（Ｂ）に示すような断面形状を有し、鍵孔に拘束されるので傾くことはない。
【００２３】
そして、封鎖片１の切欠き１３部分に位置するタンブラ４０はいずれもばね等の付勢力により元の中心側の位置に戻るので、復帰したタンブラ４０の内最先のもの４０ａ［図３（Ｃ）参照］が封鎖片１の拘束部１４に直接対応することになる。
【００２４】
従って、封鎖片１はタンブラ４０の１つ（４０ａ）に拘束されるので、抜取り治具２を用いない限り、オーナー側以外の他の人によっては抜き出しが不能となり、家賃を滞納している貸借人は合鍵の差込みが不能となって、このシリンダ錠１０の施解錠はできないことになる。
【００２５】
一方、前記のように鍵孔５０が封じられたシリンダ錠１０から封鎖片１を抜き出すには、抜取り治具２のつまみ部２２を手指で掴んでそのステム部２１を図４（Ａ）に矢印Ｑで示すようにシリンダ錠１０の鍵孔５０における封鎖片１の切欠き１３が形成する空間部５０ａに差し込む。
【００２６】
図４（Ｂ）に示すように、抜取り治具２の差込みにおける中間の過程では、先端の誘導傾斜部２３が、封鎖片１を拘束しているタンブラ４０ａを含め、内筒部３０の中心側の位置を占めるように付勢させてあるタンブラ４０のいくつかをその付勢力に抗して押しのけつつそのステム部２１の前進を許容させることになるので、ステム部２１は図３（Ｃ）に示すようにほぼその全長が鍵孔５０内に差し込めることになる。
【００２７】
そして、抜取り治具２におけるステム部２１上の係合部２４は、該治具２の差込み完了時に封鎖片１の係止部１５と互に係合し、抜取り治具２と封鎖片１とは長さ方向（抜き差し方向）において相互に係着するので、図３（Ｄ）に矢印Ｒで示すように抜取り治具２を手指で引き出せば、抜取り治具２に帯同する封鎖片１はシリンダ錠１０の鍵孔５０からタンブラ４０に妨げられることなく抜き出すことができる。
【００２８】
抜取り治具２及びそれに帯同する封鎖片１の抜き出しにおける中間の過程において、各タンブラ４０は抜取り治具２と封鎖片１とが構成する組立体における両側辺又は一側辺の平坦面で接することになるので、両部材１、２の抜き出しはタンブラ４０によって妨げられることはない。
【００２９】
ここに、シリンダ錠１０は詰め物としての封鎖片１のない通常の状態に戻ることになる［図３（Ａ）参照］。
【００３０】
ところで、抜取り治具２の差し込み完了時においてその係合部２４と封鎖片１の係止部１５との噛み合い（係合）がうまく行かない場合は、鍵孔５０との間の遊びを利して治具２のステム部２１を幅方向について封鎖片１に接近するように押してやると両者は楽に係合させることができる。
【００３１】
なお、この発明の鍵孔封鎖用具はシリンダ錠１０が施錠状態にあっても解錠状態にあっても用いることができる。言い換えれば、封鎖片１及び抜取り治具２の抜き差しは、シリンダ錠１０が施・解錠いずれの状態であっても行うことができる。
【００３２】
【発明の効果】
以上に説明したこの発明に係るシリンダ錠の鍵孔封鎖用具によれば、賃貸住宅のオーナー等が必要に応じある住居（戸室）の鍵を施解錠不能にしたい場合などに、簡単な操作でそれを行うことができ、また、その施解錠不能状態の解除も楽に行うことができるという効果を奏する。
【００３３】
なお、この発明の鍵孔封鎖用具は別の用途として、住居を長期に亘り使用しなかったり留守にする場合に、シリンダ錠を二重にロックするための手段として用いることもできる。
【図面の簡単な説明】
【図１】この発明実施例における一方の用具である封鎖片を示す図で、（Ａ）は側面図、（Ｂ）は図１（Ａ）のＩ−Ｉ線による端面図である。
【図２】この発明実施例における他方の用具である抜取り治具を示す図で、（Ａ）は側面図、（Ｂ）は図２（Ａ）のＩＩ−ＩＩ線による端面図である。
【図３】図３の（Ａ）〜（Ｃ）はシリンダ錠に対し封鎖片を差込む過程を順次示している説明図である。
【図４】図４の（Ａ）〜（Ｄ）はシリンダ錠から抜取り治具をもって封鎖片を抜き出す過程を順次示している説明図である。
【符号の説明】
１０  シリンダ錠
４０   タンブラ
５０  鍵孔
１   封鎖片
１２  封鎖片の誘導傾斜部
１３   切欠き
１４  拘束部
１５  係止部
２  抜取り治具
２１  ステム部
２２   つまみ部
２３  抜取り治具の誘導傾斜部
２４  係合部
【図１】
0003984682.tif 000002
【図２】
0003984682.tif 000003
【図３】
0003984682.tif 000004
【図４】
0003984682.tif 000005